(57)【要約】【課題】斜面上にコンクリートや鋼板が表出せずに自然環境に適合しているとともに、構造物に対する信頼性を高める。【解決手段】鋼板から成る受圧部２と、その受圧部２の上に起立して補強する補強部３から成る受圧体１を斜面の地山に設置してアンカー６に固定する。受圧体１の周りや上を金網状材料８によって覆い、その中に土砂を詰める。鋼板は土砂によって隠れ、土砂から植物が生育する。鋼板製の受圧体１にはクラックが発生せず、信頼性が高まる。【選択図】図３
2005036501.tif 000002
【特許請求の範囲】
【請求項１】
斜面に敷設して地山を押さえる鋼板から成る受圧部と、この受圧部の上に起立して受圧部を補強する鋼板から成る補強部によって構成された受圧体を地山に設置し、この受圧体を地山に埋設したアンカーに固定し、鋼製受圧体の外周、或いは外周と上側を覆うように金網状材料によって配置し、この金網状材料によって囲まれた中に土砂を詰めてなる斜面安定構造物。
【請求項２】
鋼板として耐候性鋼板を使用したことを特徴とする請求項１記載の斜面安定構造物。
【請求項３】
土砂には種子、肥料等を混ぜ合わせたものを使用したことを特徴とする請求項１記載の斜面安定構造物。
【発明の詳細な説明】
【技術分野】
【０００１】
この発明は斜面の崩壊を防いで安定させる斜面安定構造物に関するものであり、特に鋼製の材料を使用した受圧体を使用して、植生なども可能とする斜面安定構造物に関するものである。
【背景技術】
【０００２】
斜面の崩壊を防いで安定させるために、従来様々な工法が採用されている。その中でも、斜面にプレキャストのコンクリートブロックを、多数個適宜間隔を空けて設置し、それらコンクリートブロックを斜面の地山深くに打設したアンカーに固定し、斜面の崩壊しようとする土砂荷重をブロックによって受ける工法が存在する。ブロックはアンカーによって地中深くの岩盤に固定されており、斜面の土砂が崩壊して地滑りなどが起きようとする際の圧力を、アンカーに固定したブロックによって受け、押さえて斜面の安定化を実現するものである。
【０００３】
このような斜面の安定化に使用されているコンクリートブロックは、斜面にそのコンクリートの表面が表出するため、斜面の景観を損なうことがある。斜面の自然的景観を確保するために、近年では特に斜面全体を緑化することが望まれるようになっているが、コンクリートブロックの部分だけは緑化することが不可能である。ブロックとブロックの間に植生して緑化しても、ブロックだけはどうしても緑化出来ず、やはり味気ないコンクリートブロックが斜面に表出して、自然環境と一体化させることは難しかった。
【０００４】
コンクリートブロックは、そのコンクリートという材質の性質上、クラックの発生が避けられなかった。クラックが生じると、そのクラックを伝って雨水がブロックの内部に浸入して、内部の鉄筋を錆び付かせ、ブロックの破損を招くことがあった。つまりコンクリートブロックである以上、その経年による劣化が避けられず、構造物としての信頼性に欠けることがあった。
【０００５】
コンクリートブロックの他の課題は、その重量である。コンクリートブロックは内部の鉄筋とコンクリートの重みによって数トンという重量になり、これを現場に運び込み、それを斜面に設置する作業に極めて大きな労力が必要であった。また運搬時に何かにぶつかるなどして破損もし易く、極めて慎重な取り扱いが要求させるものであった。
【発明の開示】
【発明が解決しようとする課題】
【０００６】
この発明において解決しようとする課題は、従来のコンクリートブロックによる構造物では、斜面の土砂荷重を受ける構造物の上に緑化できずに斜面全体の景観を損なっている点であり、またクラックが発生することによる構造物としての信頼性に欠けるであり、更には比較的運搬・設置作業に大きな労力と配慮を必要とする点である。
【課題を解決するための手段】
【０００７】
この発明は、鋼板から成る受圧部と、その受圧部の上に起立する同じく鋼板から成る補強部によって構成された受圧体を使用し、地山の上に設置した受圧体の周りや上部を金網状材料によって覆い、その金網状材料の中には土砂を埋めることを最も主要な特徴とする。
【発明の効果】
【０００８】
この発明により以下の効果を得ることができる。
＊受圧体の上に土砂を盛るので、斜面にはコンクリートも鋼板も表出せず、自然的景観を損なうことがない。
＊盛った土砂の上に植生を促せば、斜面全体が緑化でき、より自然的潤いのある景観を保つことができる。
＊受圧体の材質が鋼製であるので、クラックが発生しない。したがって経年的変化が少ない信頼性の高い構造物となる。これは耐候性鋼板を使用することによって信頼性が増すこととなる。
＊鋼製の受圧体は、コンクリートブロックよりも軽量化でき、運搬や施工が容易となり、また破損する可能性が低い。
＊受圧体の外周、若しくは外周と上部を金網状材料によって覆うことにより、その中に土砂を詰めれば土砂が流出することがない。
＊受圧体を耐候性鋼板で製造するか、受圧体や金網状材料に亜鉛アルミニウミ合金メッキを施すことにより、防錆効果の優れた長期的に性能を維持可能な構造物となる。
＊受圧体の上に盛る土砂に植物の種子や肥料を混ぜれば、より良好な緑化を促すことが可能となる。
【発明を実施するための最良の形態】
【０００９】
この発明にかかる斜面安定構造物は、鋼製の受圧体を使用するものであって、その受圧体は斜面に敷設して地山を押さえる受圧部と、その受圧部の上に起立して受圧部を補強する補強部から成っている。受圧部も補強部も鋼板から成っている。鋼板は、その材質の中にリンなどを混入した耐光性鋼板が好適である。リンなどの物質が錆を表面近くに食い止めて、雨水などによる影響を受けないようにしたものである。したがって耐光性鋼板を使用することにより、経年による劣化が避けられる。その他、受圧体に表面に亜鉛アルミニウム合金メッキ（ドブ浸け）を施して防錆処理することも好適である。
【００１０】
受圧体の形状は様々な形状が考えられるもので、その地山と接する受圧部の形状は十文字形状や円形などが考えられる。その他四角形、六角形、八角形などの多角形も可能である。補強部は受圧部に作用した土砂荷重によって受圧部が変形しないようにするもので、受圧部に対して直角に起立しているもので、例えば受圧部の中心近くから放射状に外周側へ延びるように複数設けるなどが好適である。
【００１１】
このように構成した受圧体を斜面の地山の上に設置し、地山深くに打設したグラウンドアンカーなどに固定する。受圧体の外周、或いは外周と上部を金網状材料によって覆う。金網状材料とはエキスパンドメタルやクリンプ金網などの多数の網目があるような材料全てを含むものである。この金網状材料表面には、亜鉛アルミニウム合金メッキ（ドブ浸け）を施したり、合成樹脂を被覆して防錆処理する。外周、或いは外周と上部とは、必ずしも外周や上部全体を意味するのではなく、全体のうちの一部を残しておいてもよいという意味である。後に述べるように土砂を詰めるために一部を残してそこから土砂を詰めてもよいし、金網状材料に孔を空けておき、そこから土砂を詰めることもできる。
【００１２】
金網状材料によって囲まれた中に、土砂を詰める。土砂には樹木や草花の種子、肥料、現場発生土を混合したものを使用することにより、植生の促進、現場発生土の処理が可能となるものである。
【実施例】
【００１３】
図１及び２に示すのは鋼製の受圧体１であって、斜面の地山と接する平板状の受圧部２と、その受圧部２の上に起立して受圧部２を補強する補強部３から成っている。図に示す実施例では受圧体２の形状は十文字形であり、その四方の各先端へいくに従って徐々にその幅が狭くなっている。受圧部２には、その中心に四角形に枠組みしたような補強部３ａが起立しており、その補強部３ａから四方へ向って平行な補強部３ｂがそれぞれ延びている。補強部３ｂは、その十文字の先端へいくに従って徐々に高さが低くなっている。受圧体１の中心にはアンカー孔４が形成されている。
【００１４】
以上のような受圧体１のアンカー孔４に地山に打設しておいたグラウンドアンカー６の地上からの突出部分を通し、斜面の地山上に設置する。図６に示すようにグラウンドアンカー６をアンカーヘッド７に通して、プレストレス力を与えてクサビによって定着する。アンカーヘッド７はコンクリートブロックの場合鋼製のプレートの上に載せる必要があったが、鋼製の受圧体１の場合はプレートの必要なく、そのまま載せることが可能である。アンカーヘッド７にはオイルキャップを被せておき、アンカー６を再緊張可能にしておく。以上のような受圧体１の外周と上部を覆うように金網状材料であるエキスパンドメタル８が配設する。（図３）エキスパンドメタル８の適宜位置には、土砂を詰めるための孔９を形成しておき、この孔９から土砂１０に圧力をかけてエキスパンドメタル８内に土砂１０を充満する。土砂１０に種子や肥料を混入しておけば、その土砂１０から植物が生育する。図４に示すのは樹木が構造物上に生育した状態を示し、図５に示すのは草花が生育した状態を示している。
【００１５】
図７及び８に示すのは同じく十文字形の受圧体１であるが、その平行な補強部３ｃが、受圧部２の中心部で交差して四方に延びているものである。図９に示すのは受圧部２が円形であって、その中心に補強部３ｄが円筒形に起立しており、その補強部３ｄの周囲から受圧部２の外周端に向って放射状に複数の補強部３ｅが延びているものである。図１０に示すのは、受圧体２が八角形であって、その中心の円筒形の補強部３ｆから、複数の補強部３ｇが受圧部２の外周端に向って放射状に延びた場合である。図１１に示すのは、受圧部２がＹ字形であって、中心に起立した三角筒状の補強部３ｈから、受圧部２の三先端方向に向って補強部３ｉが延びた場合である。このように、受圧体１の形状は様々なものが選択でき、地山の圧力を受ける受圧部２と、その受圧部２を補強する補強部３から成っていればよい。また金網状材料によって土砂が流出しないよう覆うのであるが、金網状材料によって必要な部分を覆えばよく、全体を覆い尽くす必要はない。
【００１６】
以上のような構造物にあって、地山の土砂荷重はアンカー６に固定した受圧体１の受圧部２によって受け、補強部３が受圧部２の補強をする。経時的変化によって地山と受圧体１の間に隙間が生じた場合は、アンカー６を再緊張して受圧体１を斜面に密着させればよい。
【図面の簡単な説明】
【００１７】
【図１】受圧体の一実施例の平面図である。
【図２】図１に示す受圧体の斜視図である。
【図３】金網状材料で受圧体を覆った状態の斜視図である。
【図４】構造物から樹木が生育した状態の斜視図である。
【図５】構造物から草木が生育した状態の斜視図である。
【図６】受圧体をアンカーに固定した状態の断面図である。
【図７】受圧体の他の実施例の平面図である。
【図８】図６に示す受圧体の斜視図である。
【図９】受圧体の他の実施例の斜視図である。
【図１０】受圧体の他の実施例の斜視図である。
【図１１】受圧体の他の実施例の斜視図である。
【符号の説明】
【００１８】
１    受圧体
２    受圧部
３    補強部
４    アンカー孔
６    グラウンドアンカー
７    アンカーヘッド
８    エキスパンドメタル
９    孔
１０  土砂
【図１】
2005036501.tif 000003
【図２】
2005036501.tif 000004
【図３】
2005036501.tif 000005
【図４】
2005036501.tif 000006
【図５】
2005036501.tif 000007
【図６】
2005036501.tif 000008
【図７】
2005036501.tif 000009
【図８】
2005036501.tif 000010
【図９】
2005036501.tif 000011
【図１０】
2005036501.tif 000012
【図１１】
2005036501.tif 000013